(57)【特許請求の範囲】
【請求項１】
容器本体の上部に把手部材を起伏自在に設け、伏し状態とした前記把手部材に他の容器本体を載置することでスタッキング可能に構成した把手付き容器であって、前記容器本体の側壁上縁部若しくは前記把手部材に設けたガイド軸受部をスライドするスライド軸部を前記把手部材若しくは前記容器本体の側壁上縁部に設けて、伏し状態とした前記把手部材を前記容器本体に対してスライド移動し得るように構成し、伏し状態とした前記把手部材を前記容器本体に対してスライド移動することで、前記把手部材が前記容器本体の開口部位に位置して他の容器本体が載置可能なスタッキング可能状態と、前記把手部材が前記容器本体の開口部位から退避して他の容器本体が載置不能なスタッキング不能状態とが切り替え自在となるように構成し、前記容器本体に対する所定スライド位置で伏し状態の前記把手部材を起き状態とすることにより、前記容器本体に対する前記把手部材のスライド移動を阻止するスライド阻止機構を備え、前記容器本体の側壁上縁部には、伏し状態とした前記把手部材が載置される凹段部が設けられ、この凹段部の載置面は伏し状態とした前記把手部材がスライド移動する際に摺動する摺動面部に構成されており、前記摺動面部には、伏し状態とした前記把手部材を他の容器本体が載置可能なスタッキング可能状態となるまでスライド移動させた際に乗り越え係合して、このスタッキング可能状態の位置に位置決めする凸部が設けられていることを特徴とする把手付き容器。
【請求項２】
前記容器本体の開口部位から退避して他の容器本体が載置不能なスタッキング不能状態にして伏し状態の前記把手部材を起き状態とすることにより、前記容器本体に対する前記把手部材のスライド移動を阻止するように前記スライド阻止機構を構成したことを特徴とする請求項１記載の把手付き容器。
【請求項３】
前記容器本体に対する所定スライド位置で伏し状態の前記把手部材を起き状態とすることにより、前記容器本体に対する前記把手部材のスライド移動を阻止するように前記ガイド軸受部及び前記スライド軸部の形状を設定して前記スライド阻止機構を構成したことを特徴とする請求項１，２のいずれか１項に記載の把手付き容器。
【請求項４】
前記ガイド軸受部は、径小長孔と該径小長孔に連続する径大孔とから成る形状であり、前記スライド軸部の径方向断面形状を非真円形状に設定して、前記スライド軸部は、前記径小長孔において回動不能にてスライド可能となり、前記径大孔において回動可能にして回動することで係合してスライド不能となるように構成し、前記スライド軸部が前記ガイド軸受部の径大孔に位置する前記容器本体に対する所定スライド位置で伏し状態の前記把手部材を起き状態とすることにより、前記容器本体に対する前記把手部材のスライド移動を阻止するように前記スライド阻止機構を構成したことを特徴とする請求項１〜３のいずれか１項に記載の把手付き容器。
【請求項５】
前記容器本体の対向する側壁上縁部同士間に一対の把手部材を起伏自在に架設し、伏し状態とした前記把手部材夫々に他の容器本体を載置することでスタッキング可能に構成したことを特徴とする請求項１〜４のいずれか１項に記載の把手付き容器。
【請求項６】
前記把手部材が前記容器本体の開口部位から退避して他の容器本体が載置不能なスタッキング不能状態とした際、他の容器本体をネスティングし得るように構成したことを特徴とする請求項１〜５のいずれか１項に記載の把手付き容器。
【発明の詳細な説明】
【技術分野】
【０００１】
本発明は、把手付き容器に関するものである。
【背景技術】
【０００２】
従来から、内部に収納物を収納して持ち運びできる容器として、例えば特開平６−１７９４４９号に開示されるような容器本体の上部対向位置に一対の把手部材を起伏自在に設けた把手付き容器（以下、従来例という。）が提案されている。
【０００３】
この従来例は、伏し状態とした左右の把手部材の上に他の容器本体を載置することでスタッキング可能に構成したものであり、把手部材を握持して持ち運ぶことができるのは勿論、複数用意すればスタッキングもできて非常に便利な使用状態が得られる。
【先行技術文献】
【特許文献】
【０００４】
【特許文献１】特開平６−１７９４４９号公報
【発明の概要】
【発明が解決しようとする課題】
【０００５】
本発明は、前述した把手付き容器について更なる研究開発を進め、その結果、従来にない作用効果を発揮する画期的な把手付き容器を開発した。
【課題を解決するための手段】
【０００６】
添付図面を参照して本発明の要旨を説明する。
【０００７】
容器本体１の上部に把手部材２を起伏自在に設け、伏し状態とした前記把手部材２に他の容器本体１を載置することでスタッキング可能に構成した把手付き容器であって、前記容器本体１の側壁上縁部１ａ’若しくは前記把手部材２に設けたガイド軸受部３をスライドするスライド軸部４を前記把手部材２若しくは前記容器本体１の側壁上縁部１ａ’に設けて、伏し状態とした前記把手部材２を前記容器本体１に対してスライド移動し得るように構成し、伏し状態とした前記把手部材２を前記容器本体１に対してスライド移動することで、前記把手部材２が前記容器本体１の開口部位１’に位置して他の容器本体１が載置可能なスタッキング可能状態と、前記把手部材２が前記容器本体１の開口部位１’から退避して他の容器本体１が載置不能なスタッキング不能状態とが切り替え自在となるように構成し、前記容器本体１に対する所定スライド位置で伏し状態の前記把手部材２を起き状態とすることにより、前記容器本体１に対する前記把手部材２のスライド移動を阻止するスライド阻止機構を備え、前記容器本体１の側壁上縁部１ａ’には、伏し状態とした前記把手部材２が載置される凹段部１ｃが設けられ、この凹段部１ｃの載置面は伏し状態とした前記把手部材２がスライド移動する際に摺動する摺動面部５に構成されており、前記摺動面部５には、伏し状態とした前記把手部材２を他の容器本体１が載置可能なスタッキング可能状態となるまでスライド移動させた際に乗り越え係合して、このスタッキング可能状態の位置に位置決めする凸部６が設けられていることを特徴とする把手付き容器に係るものである。
【０００８】
また、前記容器本体１の開口部位１’から退避して他の容器本体１が載置不能なスタッキング不能状態にして伏し状態の前記把手部材２を起き状態とすることにより、前記容器本体１に対する前記把手部材２のスライド移動を阻止するように前記スライド阻止機構を構成したことを特徴とする請求項１記載の把手付き容器に係るものである。
【０００９】
また、前記容器本体１に対する所定スライド位置で伏し状態の前記把手部材２を起き状態とすることにより、前記容器本体１に対する前記把手部材２のスライド移動を阻止するように前記ガイド軸受部３及び前記スライド軸部４の形状を設定して前記スライド阻止機構を構成したことを特徴とする請求項１，２のいずれか１項に記載の把手付き容器に係るものである。
【００１０】
また、前記ガイド軸受部３は、径小長孔３ａと該径小長孔３ａに連続する径大孔３ｂとから成る形状であり、前記スライド軸部４の径方向断面形状を非真円形状に設定して、前記スライド軸部４は、前記径小長孔３ａにおいて回動不能にてスライド可能となり、前記径大孔３ｂにおいて回動可能にして回動することで係合してスライド不能となるように構成し、前記スライド軸部４が前記ガイド軸受部３の径大孔３ｂに位置する前記容器本体１に対する所定スライド位置で伏し状態の前記把手部材２を起き状態とすることにより、前記容器本体１に対する前記把手部材２のスライド移動を阻止するように前記スライド阻止機構を構成したことを特徴とする請求項１〜３のいずれか１項に記載の把手付き容器に係るものである。
【００１１】
また、前記容器本体１の対向する側壁上縁部１ａ’同士間に一対の把手部材２を起伏自在に架設し、伏し状態とした前記把手部材２夫々に他の容器本体１を載置することでスタッキング可能に構成したことを特徴とする請求項１〜４のいずれか１項に記載の把手付き容器に係るものである。
【００１２】
また、前記把手部材２が前記容器本体１の開口部位１’から退避して他の容器本体１が載置不能なスタッキング不能状態とした際、他の容器本体１をネスティングし得るように構成したことを特徴とする請求項１〜５のいずれか１項に記載の把手付き容器に係るものである。
【発明の効果】
【００１３】
本発明は上述のように構成したから、把手部材を握持して良好に持ち運ぶことができるのは勿論、複数用意すればスタッキングもできて非常に便利な使用状態が得られ、しかも、把手部材を持ち運びに使用するための起き操作を行うだけで簡易且つ確実に安定的な持ち運び状態が得られることになるなど、従来にない作用効果を発揮する画期的な把手付き容器となる。
【図面の簡単な説明】
【００１４】
【図１】本実施例を示す斜視図である。
【図２】本実施例の使用状態説明図である。
【図３】本実施例の使用状態説明図である。
【図４】本実施例の使用状態説明図である。
【図５】本実施例の要部の動作説明図である。
【図６】本実施例の要部の動作説明図である。
【図７】本実施例の要部の動作説明図である。
【図８】本実施例の要部の動作説明図である。
【図９】本実施例の要部の説明図である。
【発明を実施するための形態】
【００１５】
好適と考える本発明の実施形態（発明をどのように実施するか）を、図面に基づいて本発明の作用を示して簡単に説明する。
【００１６】
把手部材２を起き操作すると、容器本体１の側壁上縁部１ａ’若しくは把手部材２に設けたガイド軸受部３に対して把手部材２若しくは容器本体１の側壁上縁部１ａ’に設けたスライド軸部４が回動し、容器本体１に対して把手部材２は起き動して起き状態となる。この起き状態とした把手部材２を握持して持ち運ぶことができる。
【００１７】
また、本発明は、前述した容器本体１に対する把手部材２の起伏動を可能にするための構造である軸部と軸受部として、軸部が軸受部に対してスライドする構造としており、伏し状態とした把手部材２を容器本体１に対してスライド移動することができ、把手部材２が容器本体１の開口部位１’に位置して他の容器本体１が載置可能なスタッキング可能状態と、把手部材２が容器本体１の開口部位１’から退避して他の容器本体１が載置不能なスタッキング不能状態とが切り替え自在となる。
【００１８】
これは、容器本体１に対して起伏自在に設けた把手部材２を利用して良好なスタッキング状態を得るという目的からすれば、把手部材２を伏し状態とした際、この伏し状態とした把手部材２が容器本体１の開口部位１’に位置さえしていれば良いが、実際の使用場面において、この状態では把手部材２が容器本体１の開口部位１’の一部を塞いだ状態となり、この把手部材２が邪魔して容器本体１への収納物の出し入れが厄介となる。
【００１９】
そこで、本発明は、前述したように容器本体１に対して把手部材２をスライド移動できるように設けて、把手部材２が容器本体１の開口部位１’から退避できるように構成しており、前述した収納物の出し入れに関する問題は解消される。
【００２０】
ところで、前述したように伏し状態とした把手部材２を容器本体１に対してスライド移動できることは非常に便利であるが、把手部材２を起き状態として握持して持ち運んだ際、この把手部材２が容器本体１に対して自由にスライド移動したのでは不意に容器本体１が揺動して傾いてしまうなど良好な持ち運びが行えなくなる。この容器本体１の傾き現象は、例えば把手部材２を持つ手を揺らした場合や、容器本体１内に重い収納物を収納した場合や、容器本体１内の一部に荷重が偏った重量バランスの悪い収納状態であった場合などに起こり得る。
【００２１】
そこで、本発明は、把手部材２を握持して持ち運ぶ際の起き状態において、容器本体１に対する把手部材２のスライド移動を阻止するスライド阻止機構を設けており、前述した問題点は確実に解消される。
【００２２】
しかも、本発明は、単に容器本体１に対する把手部材２のスライド移動を阻止するスライド阻止機構を備えただけでなく、容器本体１に対する所定スライド位置で伏し状態の把手部材２を起き状態とすることにより、容器本体１に対する把手部材２のスライド移動を阻止するようにスライド阻止機構を構成しており、即ち、このスライド阻止機構は、把手部材２を起き状態とすることに起因して容器本体１に対する把手部材２のスライド移動を阻止する構成であり（即ち、スライド阻止機構は把手部材２が伏し状態では機能しない）、よって、把手部材２を使用状態（起き状態）とするために把手部材２を起き動させることがスライド阻止機構を機能させることになるから、把手部材２を使用する場面においては確実に容器本体１に対するスライド移動が阻止された状態であり、また、この把手部材２を起き動させる操作以外にスライド移動を阻止するために別途操作する必要が無く極めて効率の良い構造である。
【００２３】
また、本発明は、前述したスライド阻止機構は伏し状態とした把手部材２には機能しない構成であるから、伏し状態とした把手部材２を容器本体１に対して円滑にスライド移動できる構造が得られることになる。
【実施例】
【００２４】
本発明の具体的な実施例について図面に基づいて説明する。
【００２５】
本実施例は、容器本体１の上部に把手部材２を起伏自在に設け、この伏し状態とした把手部材２に他の容器本体１を載置することでスタッキング可能に構成した把手付き容器である。尚、把手部材２の起き状態は、把手部材２を握持して持ち運びに際して使用する状態であり、伏し状態は、把手部材２を持ち運びに際しては使用しない状態である。
【００２６】
具体的には、容器本体１は、図１，２に図示したように適宜な合成樹脂製の部材で一体成形した平面視方形状の箱状体であり、方形状の底壁の前後左右に側壁１ａを立設した構成である。
【００２７】
また、底壁の下面には、容器本体１の左右方向に長さを有する複数の凸リブ１ｂが並設されており、この凸リブ１ｂには凹部１ｂ’が設けられ、この凹部１ｂ’は容器本体１を後述する把手部材２に載置した際、この凹部１ｂ’が把手部材２に設けられる凹部２ａと位置決め係合するように構成されている。
【００２８】
また、容器本体１の上部対向位置には一対の把手部材２が起伏自在に設けられている。
【００２９】
この各把手部材２は、図１，２に図示したように適宜な合成樹脂製の部材で一体成形したものであり、容器本体１の上部開口部の形状に合致するアーチ形状体（コ字形状体）である。
【００３０】
この一対の把手部材２を容器本体１の前後対向する側壁１ａの側壁上縁部１ａ’同士間に起伏自在に架設しており、この起き状態とした左右の把手部材２を束ね状態（図２参照）で握持して持ち運ぶことができ、また、この起き状態とした左右の把手部材２を左右逆方向（外方向）に伏し動させることで伏し状態とすることができる。
【００３１】
この伏し状態とした把手部材２に他の容器本体１を載置することでスタッキング可能となる（図３参照）。
【００３２】
また、把手部材２の周面にして伏し状態とした際の上面部位には複数の凹部２ａが設けられており、この各凹部２ａは前述した容器本体１の各凸リブ１ｂに設けた凹部１ｂ’と位置決め係合する部位である。
【００３３】
また、本実施例は、容器本体１の前後側壁１ａの側壁上縁部１ａ’に設けたガイド軸受部３をスライドするスライド軸部４を把手部材２に設けて、伏し状態とした把手部材２を容器本体１に対してスライド移動し得るように構成しており、把手部材２が容器本体１の開口部位１’に位置して他の容器本体１が載置可能なスタッキング可能状態と、把手部材２が容器本体１の開口部位１’から退避して他の容器本体１が載置不能なスタッキング不能状態とが切り替え自在となるように構成している。
【００３４】
この容器本体１を構成する前後側壁１ａ夫々の側壁上縁部１ａ’の中央位置にして長さ方向に、一対の長窓孔（合計４つの長窓孔）が形成され、この長窓孔がガイド軸受部３として構成されている。尚、ガイド軸受部３は孔に限らず凹条でも良い。
【００３５】
また、このガイド軸受部３にスライドするスライド軸部４を把手部材２夫々の枢着端部としての両端部に突設されており、このスライド軸部４とガイド軸受部３は、後述するスライド阻止機構を構成する適宜な形状に設定されている。
【００３６】
尚、容器本体１の側壁上縁部１ａ’にスライド軸部３を設け、把手部材２にガイド軸受部３を設けても良い。
【００３７】
また、本実施例では、容器本体１に対する所定スライド位置で伏し状態の把手部材２を起き状態とすることにより、容器本体１に対する把手部材２のスライド移動を阻止するスライド阻止機構を備えている。
【００３８】
このスライド阻止機構は、スライド軸部４がガイド軸受部３の一端部に位置することで把手部材２が容器本体１の開口部位１’に位置して他の容器本体１が載置可能なスタッキング可能状態と、スライド軸部４がガイド軸受部３の他端部に位置することで把手部材２が容器本体１の開口部位１’から退避して他の容器本体１が載置不能なスタッキング不能状態の際、この伏し状態の把手部材２を起き状態とすることにより、容器本体１に対する把手部材２のスライド移動を阻止するように構成されている。
【００３９】
具体的には、容器本体１に対する所定スライド位置で伏し状態の把手部材２を起き状態とすることにより、容器本体１に対する把手部材２のスライド移動を阻止するようにガイド軸受部３及びスライド軸部４の形状を設定してスライド阻止機構を構成している。
【００４０】
更に具体的には、ガイド軸受部３は、図５〜９に図示したように径小長孔３ａと該径小長孔３ａの左右端部に連続する径大孔３ｂとから成る所謂ダルマ孔形状であり、一方、スライド軸部４の径方向断面形状を非真円形状（半円形状）に設定して、スライド軸部４は、径小長孔３ａにおいて回動不能にてスライド可能（図７参照）となり、径大孔３ｂにおいて回動可能にして回動することで係合してスライド不能（図６参照）となるように構成し、スライド軸部４がガイド軸受部３の左右の径大孔３ｂに位置する容器本体１に対する所定スライド位置で伏し状態の把手部材２を起き状態とすることにより、容器本体１に対する把手部材２のスライド移動を阻止するようにスライド阻止機構を構成している。
【００４１】
また、ガイド軸受部３の各径大孔３ｂは、図５，６，８に図示したように回動規制部３ｂ’が突設されており、この回動規制部３ｂ’は起き状態とした把手部材２に当接して把手部材２における起き方向への回動を規制するように構成されている。
【００４２】
また、この左右のガイド軸受部３の径大孔３ｂに設けられる回動規制部３ｂ’は互いに回動角度が異なるように設定されている。
【００４３】
具体的には、外側の径大孔３ｂに設けられる回動規制部３ｂ’で規制する回動角度は約１２０度、内側の径大孔３ｂに設けられる回動規制部３ｂ’で規制する回動角度は約９５度である。
【００４４】
従って、左右の把手部材２（起伏の起点となるスライド軸部４）同士が最も離れた位置での起き状態と、最も近接した位置での起き状態との起き角度が異なり、把手部材２の起き角度を最適な角度に設定することで使い勝手がより良好となる。
【００４５】
尚、本実施例では、スライド軸部４の径方向断面形状を半円形状としているが、楕円形状でも方形状でも良く、本実施例の特性を発揮する非真円形状であれば適宜採用し得るものであるが、円滑なスライドと回動を考慮すると半円形状が望ましい。
【００４６】
また、本実施例では、伏し状態とした把手部材２が容器本体１に対してスライド移動する際、把手部材２が摺動する摺動面部５を前記容器本体１の側壁上縁部１ａ’に設け、前記摺動面部５に、把手部材２のスライド移動に際して乗り越え係合して抵抗となる凸部６を設け、この凸部６を、スライド軸部４がガイド軸受部３の一端部に位置することで把手部材２が容器本体１の開口部位１’に位置して他の容器本体１が載置可能なスタッキング可能状態と、スライド軸部４がガイド軸受部３の他端部に位置することで把手部材２が容器本体１の開口部位１’から退避して他の容器本体１が載置不能なスタッキング不能状態の際、把手部材４に当接して該把手部材４のスライド移動に対して抵抗となるように構成している。
【００４７】
容器本体１の上部開口縁部にして前後左右の側壁１ａの側壁上縁部１ａ’には、凹段部１ｃが設けられており、この凹段部１ｃに伏し状態とした把手部材２が収納される。この凹段部１ｃのうち、前後側壁１ａの凹段部１ｃの上面（伏し状態とした把手部材２が載置される面）が前述した摺動面部５として機能する。
【００４８】
また、容器本体１は、下部が上部に比して巾狭となる形状に設けられており、把手部材２が容器本体１の開口部位１’から退避して他の容器本体１が載置不能なスタッキング不能状態とした際、他の容器本体１をネスティングし得るように容器本体１の形状を設定している（図４参照）。
【００４９】
尚、図４は一の容器本体１内に他の容器本体１を入れ込んでネスティングする際の途中の状態であり、実際には、容器本体１の凹段部１c同士が重なる位置まで入り込むことになる。
【００５０】
本実施例は上述のように構成したから、把手部材２を起き操作すると、容器本体１の側壁上縁部１ａ’若しくは把手部材２に設けたガイド軸受部３に対して把手部材２若しくは容器本体１の側壁上縁部１ａ’に設けたスライド軸部４が回動し、容器本体１に対して把手部材２は起き動して起き状態となる。この起き状態とした把手部材２を握持して持ち運ぶことができる。
【００５１】
また、本実施例は、前述した容器本体１に対する把手部材２の起伏動を可能にするための構造である軸部と軸受部として、軸部が軸受部に対してスライドする構造としており、伏し状態とした把手部材２を容器本体１に対してスライド移動することができ、把手部材２が容器本体１の開口部位１’に位置して他の容器本体１が載置可能なスタッキング可能状態と、把手部材２が容器本体１の開口部位１’から退避して他の容器本体１が載置不能なスタッキング不能状態とが切り替え自在となる。
【００５２】
これは、容器本体１に対して起伏自在に設けた把手部材２を利用して良好なスタッキング状態を得るという目的からすれば、把手部材２を伏し状態とした際、この伏し状態とした把手部材２が容器本体１の開口部位１’に位置さえしていれば良いが、実際の使用場面において、この状態では把手部材２が容器本体１の開口部位１’の一部を塞いだ状態となり、この把手部材２が邪魔して容器本体１への収納物の出し入れが厄介となる。
【００５３】
そこで、本実施例は、前述したように容器本体１に対して把手部材２をスライド移動できるように設けて、把手部材２が容器本体１の開口部位１’から退避できるように構成しており、前述した収納物の出し入れに関する問題は解消される。
【００５４】
ところで、前述したように伏し状態とした把手部材２を容器本体１に対してスライド移動できることは非常に便利であるが、把手部材２を起き状態として握持して持ち運んだ際、この把手部材２が容器本体１に対して自由にスライド移動したのでは不意に容器本体１が揺動して傾いてしまうなど良好な持ち運びが行えなくなる。この容器本体１の傾き現象は、例えば把手部材２を持つ手を揺らした場合や、容器本体１内に重い収納物を収納した場合や、容器本体１内の一部に荷重が偏った重量バランスの悪い収納状態であった場合などに起こり得る。
【００５５】
そこで、本実施例は、把手部材２を握持して持ち運ぶ際の起き状態において、容器本体１に対する把手部材２のスライド移動を阻止するスライド阻止機構を設けており、前述した問題点は確実に解消される。
【００５６】
しかも、本実施例は、単に容器本体１に対する把手部材２のスライド移動を阻止するスライド阻止機構を備えただけでなく、容器本体１に対する所定スライド位置で伏し状態の把手部材２を起き状態とすることにより、容器本体１に対する把手部材２のスライド移動を阻止するようにスライド阻止機構を構成しており、即ち、このスライド阻止機構は、把手部材２を起き状態とすることに起因して容器本体１に対する把手部材２のスライド移動を阻止する構成であり（即ち、スライド阻止機構は把手部材２が伏し状態では機能しない）、よって、把手部材２を使用状態（起き状態）とするために把手部材２を起き動させることがスライド阻止機構を機能させることになるから、把手部材２を使用する場面においては確実に容器本体１に対するスライド移動が阻止された状態であり、また、この把手部材２を起き動させる操作以外にスライド移動を阻止するために別途操作する必要が無く極めて効率の良い構造である。
【００５７】
また、本実施例は、前述したスライド阻止機構は伏し状態とした把手部材２には機能しない構成であるから、伏し状態とした把手部材２を容器本体１に対して円滑にスライド移動できる構造が得られることになる。
【００５８】
また、本実施例は、容器本体１の開口部位１’から退避して他の容器本体１が載置不能なスタッキング不能状態にして伏し状態の把手部材２を起き状態とすることにより、容器本体１に対する把手部材２のスライド移動を阻止するようにスライド阻止機構を構成したから、容器本体１同士をスタッキングしての使用状態ではない、例えば容器本体１内に収納物を出し入れしたり、把手部材２を起き状態として握持して持ち運んだり、という作業を主に行う使用状態においてその機能が確実に発揮することになるから、非常に便利である。
【００５９】
また、本実施例は、ガイド軸受部３は、径小長孔３ａと該径小長孔３ａに連続する径大孔３ｂとから成る形状であり、スライド軸部４の径方向断面形状を非真円形状に設定して、スライド軸部４は、径小長孔３ａにおいて回動不能にてスライド可能となり、径大孔３ｂにおいて回動可能にして回動することで係合してスライド不能となるように構成し、スライド軸部４がガイド軸受部３の径大孔３ｂに位置する容器本体１に対する所定スライド位置で伏し状態の把手部材２を起き状態とすることにより、容器本体１に対する把手部材２のスライド移動を阻止するようにスライド阻止機構を構成したから、簡易構造でありながら前述した作用効果を確実に発揮し得ることになる。
【００６０】
また、本実施例は、伏し状態とした把手部材２が容器本体１に対してスライド移動する際、把手部材２が摺動する摺動面部５を容器本体１の側壁上縁部１ａ’に設け、摺動面部５に把手部材２のスライド移動に対して抵抗となる凸部６を設け、この凸部６を、把手部材２が容器本体１の開口部位１’から退避して他の容器本体１が載置不能なスタッキング不能状態の際、把手部材４に当接して該把手部材４のスライド移動に対して抵抗となるように構成したから、伏し状態とした把手部材２が不意にスライド移動することが防止され、良好な使用状態を維持することができる。
【００６１】
また、本実施例は、把手部材２が容器本体１の開口部位１’から退避して他の容器本体１が載置不能なスタッキング不能状態とした際、他の容器本体１をネスティングし得るように構成したから、スタッキング及びネスティング双方行うことができ、非常に便利である。
【００６２】
尚、本発明は、本実施例に限られるものではなく、各構成要件の具体的構成は適宜設計し得るものである。
【符号の説明】
【００６３】
１  容器本体
１’  開口部位
１ａ’  側壁上縁部
１c 凹段部
２  把手部材
３  ガイド軸受部
３ａ  径小長孔
３ｂ  径大孔
４  スライド軸部
５  摺動面部
６  凸部
【図１】
0006308961.tif 000002
【図２】
0006308961.tif 000003
【図３】
0006308961.tif 000004
【図４】
0006308961.tif 000005
【図５】
0006308961.tif 000006
【図６】
0006308961.tif 000007
【図７】
0006308961.tif 000008
【図８】
0006308961.tif 000009
【図９】
0006308961.tif 000010